(57)【特許請求の範囲】
【請求項１】
フレーム（１）にレンズ（２）を取り付け、フレーム（１）の左右に角度調節部材（３）を介して左右一対のテンプル（４）を取り付けてなるものとし、
前記フレーム（１）の左右端部には、角度調節部材（３）の連結体（３ａ）が設けられており、
前記角度調節部材（３）は、前記連結体（３ａ）と、外当体（３ｂ）及び内当体（３ｃ）とからなるものとし、それぞれ板状体としており、
前記フレーム（１）の連結体（３ａ）に設けられた支持孔（１０）に、外当体（３ｂ）の内側に突設した支軸部（８）と内当体（３ｃ）の内側に突設した支軸部（９）を連結させて挿入すると共に、前記連結体（３ａ）の外端部に設けられた複数の係合溝（１２）に、前記内当体（３ｃ）の内側に突設した係合爪（１１）を選択的に係合するようにして、前記連結体（３ａ）の外側に外当体（３ｂ）を重ね合せると共に、この連結体（３ａ）のの内側に内当体（３ｃ）を重ね合せたことを特徴とする眼鏡。
【請求項２】
前記フレーム（１）、レンズ（２）、角度調節部材（３）及びテンプル（４）を合成樹脂からなるものとしたことを特徴とする請求項１記載の眼鏡。
【請求項３】
前記フレーム（１）の少なくとも一個所に、上押え体（１ａ）を設け、この上押え体（１ａ）の下側に小突起を設け、さらにこの上押え体（１ａ）の下方の両側に下押え体（１ｂ）を設けたものとしており、
前記レンズ（２）の上端に、内フランジ（２ａ）を設け、この内フランジ（２ａ）に、前記上下押え体（１ａ、１ｂ）に挟み込まれる挟持部（５）が設けられ、この挟持部（５）は、内フランジ（２ａ）の上面を凹ませたものとし、この凹み部に係止部（６）を設けたものとし、
前記フレーム（１）の上下押え体（１ａ、１ｂ）に、前記レンズ（２）の内フランジ（２ａ）の挟持部（５）を挟み込むと共に、上押え体（１ａ）の小突起を内フランジ（２ａ）の挟持部（５）の係止部（６）に係止させるようにして、フレーム（１）にレンズ（２）を着脱自在に取り付けたことを特徴とする請求項１記載の眼鏡。
【請求項４】
前記レンズ（２）の左右端部に、角度調節部材（３）の少なくとも前外側部が入り込み、この角度調節部材（３）の外側面とレンズ（２）の表面とが略同一面となって、角度調節部材（３）の角度変移を可能とした空間部（２ｂ）を切欠いたことを特徴とする請求項１記載の眼鏡。
【請求項５】
前記外当体（３ｂ）の後端部に支持溝（１４）を設け、前記テンプル（４）の前端に支軸（４ａ）を設け、支持溝（１４）に支軸（４ａ）を回動自在に支持したことを特徴とする請求項１記載の眼鏡。
【請求項６】
前記内当体（３ｃ）の内側に突設した係合爪（１１）を包囲するようにして略Ｕ字状の孔（１７）を設けたことを特徴とする請求項１記載の眼鏡。
【請求項７】
前記テンプル（４）の後半部に、耳掛け位置を無段階に調節できる耳掛け部材（１８）を取り付けたことを特徴とする請求項１記載の眼鏡。
【発明の詳細な説明】
【技術分野】
【０００１】
この発明は、スキー、スノーボード、サイクリング、マラソンなどで使用するスポーツ用サングラスや、建築工事、土木工事、電気工事などで使用する保護眼鏡等として使用できる眼鏡に関するものである。
【背景技術】
【０００２】
従来、この種の眼鏡は、天候、スポーツの種類、工事現場の環境などによって、見易くしたり、動き易くしたり、作業をし易くするために、レンズとテンプルの角度を調節自在にして顔面へのフィット感などを変更できるようにしたり、レンズを取り替え自在にしてレンズの明るさなどを変更できるようにしたものが存在する。
【０００３】
レンズとテンプルの角度を調節自在にした眼鏡としては、例えば図１０〜１３に示したように、レンズ２１が装着されたフレーム２２の外側部に設けられた取付部２３に、アジャスター２４を介してテンプル２５の前方に取り付けられた回動板２６を重合配置し、さらにこの回動板２６の外側部に止め体２７を重合配置している。この止め体２７は、頭部２７ａとこの頭部２７ａに突設した係止軸２７ｂを有している。そして、この止め体２７の頭部２７ａと前記フレーム２２の取付部２３の間で、前記回動板２６が止め体２７の係止軸２７ｂ廻りに回動自在に挟まれるように、この係止軸２７ｂが回動板２６及びフレーム２２の取付部２３に挿通されて抜止めされている。さらに、前記回動板２６を任意の回動位置で停止できるように回動板２６の係止軸２７ｂ廻りの回動に抵抗を与える抵抗部材２８を設けたものとして、フレーム２２の外側部に取り付けられた前記テンプル２５の角度を調節自在としたものにしている（特許文献１）。
【０００４】
また、レンズを取り替え自在にした眼鏡としては、例えば図１４〜１８に示したように、一眼式としたレンズ３１の左右にテンプル取付部材３２を介して左右一対のテンプル３３、３３を取り付ける場合、前記レンズ３１の左右両側の上端部に、それぞれ第一切欠部３４と第二切欠部３５を内側から外側に連続して形成し、その上端部を二段階に下がった形状としている。第一切欠部３４付近にはネジ孔３６が二つずつ設けられ、テンプル取付部材３２が内側からネジ３７で固着されるようにしている。
【０００５】
すなわち、テンプル取付部材３２は、レンズ３１に固着される固着部３２ａとテンプル３３が装着される揺動部３２ｂからなる二股形状としている。固着部３２ａには、その下面にレンズ３１に嵌合するようにした嵌合溝３８を凹設し、さらに外側面にこの嵌合溝３８に通じるネジ孔３９を二つずつ設けたものとし、レンズ３１のネジ孔３６を設けた付近に嵌合溝３８を嵌合させ、前記ネジ孔３９とネジ孔３６にネジ３７を螺合させることにより固着されるようにしている。
【０００６】
したがって、このように構成した従来の眼鏡は、前記ネジ３７のネジ孔３９、３６への螺合を解除することにより、レンズ３１をテンプル取付部材３２から外し、別のレンズ３１に取り替えることができるものとなる（特許文献２）。
【特許文献１】実用新案登録第２５４９８７１号公報（第２ページ、図１、３、４、８）
【特許文献２】特開平１１−２３７５８９号公報（第２、３ページ、図１、４〜７）
【発明の開示】
【発明が解決しようとする課題】
【０００７】
しかしながら、上記レンズとテンプルの角度を調節自在にした眼鏡では、フレーム２２の外側部に設けられた取付部２３に、アジャスター２４を介してテンプル２５の前方に取り付けられた回動板２６を重合配置し、さらにこの回動板２６の外側部に止め体２７を重合配置しているので、これらの部材が図１０に示したように、フレーム２２の外側に大きく突き出てしまい、この突き出した部分が着用時に邪魔になって作業に支障をきたしたり、眼鏡をスポーツ用サングラスとした場合には、着用時に空気抵抗が大きくなって、スポーツをするのに不利になるなどという課題を有してしていた。
【０００８】
さらに、上記眼鏡では、アジャスター２４を介してテンプル２５の前方に取り付けられた回動板２６は、このアジャスター２４にピン２９によって連結されているので、ピン連結するための工具を必要とし、しかもこのピン２９が金属製であるので廃棄処理上、問題となるという課題を有していた。
【０００９】
また、上記レンズを取り替え自在にした眼鏡では、レンズ３１を取り替える場合に、ネジ３７の取り外しが面倒でそのレンズ３１の取り替えに時間がかかったり、外したネジ３７を不注意によって落としたり無くしたりするという問題があったり、ネジ３７が金属製であるので廃棄処理上、問題となるという課題を有していた。
【００１０】
そこで、この発明は、上記従来の課題を解決するものであり、レンズとテンプルの角度調節が容易で、その角度調節部材がフレームの外側に大きく突き出すことなく、さらにレンズの取替も容易で、しかも金属部分を無くして廃棄処理上も問題となることのない眼鏡を提供することを目的としてなされたものである。
【課題を解決するための手段】
【００１１】
この発明の眼鏡は、フレーム１にレンズ２を取り付け、フレーム１の左右に角度調節部材３を介して左右一対のテンプル４を取り付けてなるものとし、前記フレーム１の左右端部には、角度調節部材３の連結体３ａが設けられており、前記角度調節部材３は、前記連結体３ａと、外当体３ｂ及び内当体３ｃとからなるものとし、それぞれ板状体としており、前記フレーム１の連結体３ａに設けられた支持孔１０に、外当体３ｂの内側に突設した支軸部８と内当体３ｃの内側に突設した支軸部９を連結させて挿入すると共に、前記連結体３ａの外端部に設けられた複数の係合溝１２に、前記内当体３ｃの内側に突設した係合爪１１を選択的に係合するようにして、前記連結体３ａの外側に外当体３ｂを重ね合せると共に、この連結体３ａの内側に内当体３ｃを重ね合せたものとしている。
【００１２】
そして、この発明の眼鏡は、前記フレーム１、レンズ２、角度調節部材３及びテンプル４を合成樹脂からなるものとしている。
【００１３】
さらに、この発明の眼鏡は、前記フレーム１の少なくとも一個所に、上押え体１ａを設け、この上押え体１ａの下側に小突起を設け、さらにこの上押え体１ａの下方の両側に下押え体１ｂを設けたものとしており、前記レンズ２の上端に、内フランジ２ａを設け、この内フランジ２ａに、前記上下押え体１ａ、１ｂに挟み込まれる挟持部５が設けられ、この挟持部５は、内フランジ２ａの上面を凹ませたものとし、この凹み部に係止部６を設けたものとし、前記フレーム１の上下押え体１ａ、１ｂに、前記レンズ２の内フランジ２ａの挟持部５を挟み込むと共に、上押え体１ａの小突起を内フランジ２ａの挟持部５の係止部６に係止させるようにして、フレーム１にレンズ２を着脱自在に取り付けたものとしている。
【００１４】
また、この発明の眼鏡は、前記レンズ２の左右端部に、角度調節部材３の少なくとも前外側部が入り込み、この角度調節部材３の外側面とレンズ２の表面とが略同一面となって、角度調節部材３の角度変移を可能とした空間部２ｂを切欠いたものとしている。
【００１５】
さらに、この発明の眼鏡は、前記外当体３ｂの後端部に支持溝１４を設け、前記テンプル４の前端に支軸４ａを設け、支持溝１４に支軸４ａを回動自在に支持したものとしている。
【００１６】
また、この発明の眼鏡は、前記内当体３ｃの内側に突設した係合爪１１を包囲するようにして略Ｕ字状の孔１７を設けたものとしている。
【００１７】
さらに、この発明の眼鏡は、前記テンプル４の後半部に、耳掛け位置を無段階に調節できる耳掛け部材１８を取り付けたものとしている。
【発明の効果】
【００１８】
この発明の眼鏡は、上記したように構成されているので、レンズとテンプルの角度調節が容易となり、操作性に優れたものとなり、その角度調節部材がフレームの外側に大きく突き出すことなく、着用時に邪魔にならず作業に支障をきたすこともなく、眼鏡をスポーツ用サングラスとした場合にも、着用時に空気抵抗が大きくならずスポーツをするのに不利になるということがないものとなった。
【００１９】
さらに、この発明の眼鏡は、レンズの取替も容易で、そのレンズの取り替えに時間がかかることがなく、ネジを使用していないのでネジを不注意によって落としたり無くしたりするということもなく、しかも金属部分を無くしたので廃棄処理上も問題となることがないものとなった。
【発明を実施するための最良の形態】
【００２０】
以下、この発明の眼鏡を実施するための最良の形態を、図面に基づいて詳細に説明する。
【００２１】
この発明の眼鏡は、図１、２に示したように、フレーム１にレンズ２を着脱自在に取り付け、フレーム１の左右に角度調節部材３を介して左右一対のテンプル４を取り付けてなるものとしている。
【００２２】
フレーム１は、図３、４に示したように、可撓性を有する合成樹脂、例えばポリカーボネート樹脂からなるものとしており、レンズ２の曲面に応じた曲率に曲げられ、レンズ２の上端に沿って取り付けられる形態としている。このフレーム１の前側の中央部から左右寄りの二個所には、上押え体１ａを設け、この上押え体１ａの下側に小突起（図示せず）を設け、さらにこの上押え体１ａの少し下方の両側に下押え体１ｂを設けたものとしており、これら上下押え体１ａ、１ｂによって、後に述べるレンズ２の上端の内フランジ２ａを挟み込んで、そのレンズ２を着脱自在に取り付けられるようにしている。また、フレーム１の左右端部には、角度調節部材３の連結体３ａがそれぞれ一体として設けられている。なお、前記上押え体１ａは、フレーム１の前側の中央部から左右寄りの二個所に設けたものとしているが、フレーム１の前側の中央部の一個所に設けたものとしたり、またはフレーム１の前側の中央部の一個所と、中央部から右左寄りの二個所の合計三個所に設けたものとするなど、フレーム１の前側の少なくとも一個所に設けたものとすればよい。
【００２３】
レンズ２は、可撓性を有する合成樹脂、例えばポリカーボネート樹脂からなるものとしており、任意の曲率の曲面を備えたものとしており、一眼式レンズとしている。このレンズ２の上端には、前記したように内フランジ２ａを設けたものとしており、この内フランジ２ａには、前記上下押え体１ａ、１ｂに挟み込まれる挟持部５が設けられている。この挟持部５は、内フランジ２ａの上面を凹ませたものとし、この凹み部に係止部６を設けたものとしている。したがって、前記フレーム１の上下押え体１ａ、１ｂによって、レンズ２の内フランジ２ａを挟み込んだ場合、上押え体１ａが挟持部５に嵌り込み、内フランジ２ａの上面から突き出ることなく、さらに上押え体１ａに設けられた突起が挟持部５に設けられた係止部６に係止されるので、眼鏡の使用中にレンズ２の内フランジ２ａが上下押え体１ａ、１ｂから外れることはない。また、前記上押え体１ａを上に持ち上げて、前記突起と係止部６との係止状態を解除すれは、フレーム１からレンズ２を取り外すことができ、レンズ２を別のものに取り替えることができる。
【００２４】
さらに、レンズ２の左右端の上部は、角度調節部材３の少なくとも前外側部が入り込み、この角度調節部材３の外側面とレンズ２の表面とが略同一面となって、角度調節部材３の角度変移を可能とした空間部２ｂを略半円形状として切欠いたものとし、この空間部２ｂの上下周縁から外方にかけて目隠し片７を張り出させたものとしている。なお、前記空間部２ｂは、角度調節部材３の前外側部だけでなく、外側部全体を入り込ませるようにすることもできる。また、前記空間部２ｂは、角度調節部材３の前外側部を略半円形状としているので、この前外側部の形状に合わせたものとしたが、角度調節部材３の前外側部の形状によって他の形状に変更することができる。
【００２５】
角度調節部材３は、図３〜６に示したように、それぞれ可撓性を有する合成樹脂、例えばポリカーボネート樹脂からなる外当体３ｂ及び内当体３ｃと、前記連結体３ａとからなるものとしており、それぞれ板状体としている。
【００２６】
連結体３ａは、外当体３ｂに突設した支軸部８と内当体３ｃに突設した支軸部９を連結させて、これら支軸部８、９を回動自在として挿入できる支持孔１０を略中央部に設けたものとすると共に、円弧状とした外端部に、内当体３ｃの内側に突設した係合爪１１が選択的に係合する複数の係合溝１２を設けたものとしている。そして、この係合溝１２の傍に沿うようにして長孔１３を設けたものとしている。この長孔１３は、前記係合爪１１と係合溝１２の係合操作時に生じる抵抗力の逃がし空間となっている。
【００２７】
外当体３ｂは、前端部の内側に前記支軸部８を突設したものとしており、上下端部にそれぞれ内フランジ１３ａ、１３ｂを設けたものとしており、後端部にはテンプル４の前端に設けられた支軸４ａの支持溝１４が設けられたものとしている。さらに、外当体３ｂの支軸部８の後方には、前記レンズ２の目隠し片７がそれぞれ挿入可能とした挿入溝１５ａ、１５ｂを設けたものとしている。また、外当体３ｂの支軸部８は、円筒穴とし、この円筒の下方に抜止孔８ａを設けたものとしている。
【００２８】
内当体３ｃは、前端部の内側に前記支軸部９を突設したものとしており、上下端部を前記外当体３ｂの内フランジ１３ａ、１３ｂの内面に沿うようにしており、後端部には前記外当体３ｂの支持溝１４に回動自在として支持されるテンプル４の支軸４ａの抜止片１６が設けられたものとしている。さらに、内当体３ｃの支軸部９の後方には、前記したように連結体３ａの外端部に設けた複数の係合溝１２に選択的に係合する係合爪１１を突設したものとしている。そして、この係合爪１１を包囲するようにして略Ｕ字状の孔１７を設けたものとしている。この孔１７は、前記係合爪１１と係合溝１２の係合操作時に生じる抵抗力の逃がし空間となっている。また、内当体３ｃの支軸部９は、円柱とし、この円柱を二分割するように中央部に分割溝９ａを設け、それぞれの分割体の先端に抜止部９ｂを設けたものとしている。なお、後に述べるように角度調節部材３の組み込み時には、外当体３ｂの支軸部８に内当体３ｃの支軸部９を差し込み、抜止孔８ａに抜止部９ｂが抜け止めされるようにして、これらを連結させるようにしているが、この支軸部８と支軸部９の構造を逆にして、内当体３ｃの支軸部９に外当体３ｂの支軸部８を差し込み、抜止孔８ａに抜止部９ｂが抜け止めされるようにして、これらを連結させるようにしてもよい。
【００２９】
テンプル４は、可撓性を有する合成樹脂、例えばポリカーボネート樹脂からなるものとしており、使用者の頭部にフィットするように全体的に円弧形状にしており、前端には前記したように外当体３ｂの後端部に設けられた支持溝１４に回動自在として支持される支軸４ａを設けたものとしている。なお、前記支軸４ａは、テンプル４の前端に延長部４ｂを介して設けたものとし、この延長部４ｂが前記支持溝１４の中間切欠部１４ａに入り込むようにして、この支持溝１４に回動自在としている。
【００３０】
さらに、テンプル４の後半部には、耳掛け位置を無段階に調節できる耳掛け部材１８を取り付けたものとしている。この耳掛け部材１８は、柔軟性を有する樹脂、例えばシリコン樹脂からなるものとしており、使用者の耳部の後側に沿う部分を円弧形状にしており、上端部にテンプル４の後半部に形成した取付部４ｃへの挿入孔１９を設けたものとし、テンプル４の後端から差し込んでその取付部４ｃにおいて摺動自在とすることにより、使用者の耳部の後側にフィットするように位置調節できるものとしている。なお、耳掛け部材１８の挿入孔１９の周囲は凹湾曲状に切欠いたものとして、挿入孔１９を大きくして、テンプル４の取付部４ｃに挿入し易いようにしている。
【００３１】
前記角度調節部材３は、フレーム１の左右端部と左右一対のテンプル４との間に、以下のようにして組み込まれる。
【００３２】
先ず、フレーム１の左右端部に設けられた連結体３ａの支持孔１０に、外当体３ｂの内側に突設した支軸部８を挿入すると共に、この外当体３ｂの後端部に設けられた支持溝１４に、テンプル４の前端に設けられた支軸４ａを回動自在に支持する。
【００３３】
そして、前記連結体３ａの支持孔１０に、内当体３ｃの内側に突設した支軸部９を挿入すると共に、この支軸部９を支軸部８に差し込みこれらを連結させ、さらに前記連結体３ａの外端部に設けられた複数の係合溝１２に、内当体３ｃの内側に突設した係合爪１１を選択的に係合するようにして、前記連結体３ａの外側に外当体３ｂを重ね合せると共に、この連結体３ａの内側に内当体３ｃを重ね合せたものとする。
【００３４】
以上のように構成したこの発明の眼鏡は、レンズ２とテンプル４の角度を調節するには、例えば図７に示したように、角度調節部材３の連結体３ａの複数の係合溝１２のうちの中間の係合溝１２に内当体３ｃの係合爪１１が係合している状態から、テンプル４を押し下げたり引き上げればよい。すると、外当体３ｂの支軸部８と内当体３ｃの支軸部９が連結体３ａの支持孔１０を中心に回動し、内当体３ｃの係合爪１１が連結体３ａの複数の係合溝１２のうちの下方又は上方の係合溝１２に段階的に係合していくので、この係合状態によってレンズ２とテンプル４の角度を調節することができる。例えば図７に示した状態から、テンプル４を押し下げ、角度調節部材３の連結体３ａの複数の係合溝１２のうちの一番下の係合溝１２に内当体３ｃの係合爪１１が係合する状態にすると、レンズ２とテンプル４は、図８に示したようにな角度となり、図７に示した状態から、テンプル４を引き上げ、角度調節部材３の連結体３ａの複数の係合溝１２のうちの一番上の係合溝１２に内当体３ｃの係合爪１１が係合する状態にすると、レンズ２とテンプル４は、図９に示したようにな角度となる。
【００３５】
したがって、この発明の眼鏡は、レンズ２とテンプル４の角度を調節するには、テンプル４を押し下げたり引き上げたりするだけでよく、内当体３ｃの係合爪１１と連結体３ａの係合溝１２の係合操作時に生ずる抵抗力も、連結体３ａに設けた長孔１３や内当体３ｃに設けた略Ｕ字状の孔１７に逃がすことができるので、テンプル４を押し下げたり引き上げたりする操作もスムーズに行え、レンズ２とテンプル４の角度調節は容易となり、操作性に優れたものとなる。
【００３６】
さらに、この発明の眼鏡は、角度調節部材３を、フレーム１の左右端部に板状体とした連結体３ａを一体として設け、この連結体３ａの外側に板状体とした外当体３ｂを重ね合せると共に、この連結体３ａの内側に板状体とした内当体３ｃを重ね合せたものとしているので、角度調節部材３がフレーム１の外側に大きく突き出すことがない。
【００３７】
しかも、この発明の眼鏡は、レンズ２の左右端の上部に、角度調節部材３の少なくとも前外側部が入り込み、この角度調節部材３の外側面とレンズ２の表面とが略同一平面となって、角度調節部材３の角度変移を可能とした空間部２ｂを切欠いたものとした場合には、角度調節部材３がフレーム１の外側にまったく突き出すことがない。
【００３８】
また、この発明の眼鏡は、前記レンズ２の左右端の上部を切欠いた空間部２ｂには目隠し片７を張り出させたものとしているので、レンズ２とテンプル４の角度をどのように調節しても、図７〜９に示したように、レンズ２と角度調節部材３の間に隙間が開くようなことはない。
【００３９】
そして、この発明の眼鏡は、レンズ２の取り替えも、前記したようにフレーム１に設けた上押え体１ａを上に持ち上げて、この上押え体１ａの下側に設けた小突起と、レンズ２の内フランジ２ａに設けた挟持部５の係止部６との係止状態を解除すれは、フレーム１からレンズ２を容易に取り外すことができ、そのレンズ２を別のものに取り替えることができる。
【００４０】
さらに、この発明の眼鏡は、組み立てるのにも工具を必要としないので、組み立てが簡便であり、また構成部材をすべて合成樹脂とし、金属部分を無くしたので分別廃棄し易いものとなり、廃棄処理上も問題となることがない。
【図面の簡単な説明】
【００４１】
【図１】この発明の眼鏡の一実施形態を示す斜視図である。
【図２】図１に示すこの発明の眼鏡の一部分解斜視図である。
【図３】図１に示すこの発明の眼鏡の分解斜視図である。
【図４】この発明の眼鏡のフレームの端部に設けられた角度調節部材の連結体を示す斜視図である。
【図５】この発明の眼鏡の角度調節部材の外当体の斜視図である。
【図６】この発明の眼鏡の角度調節部材の内当体の斜視図である。
【図７】この発明の眼鏡のレンズとテンプルの角度調節を行った一状態を示す説明図である。
【図８】この発明の眼鏡のレンズとテンプルの角度調節を行った他の状態を示す説明図である。
【図９】この発明の眼鏡のレンズとテンプルの角度調節を行ったさらに他の状態を示す説明図である。
【図１０】従来の眼鏡の一例を示す斜視図である。
【図１１】図１０に示す従来の眼鏡の角度調節部材の分解斜視図である。
【図１２】図１０に示す従来の眼鏡の角度調節部材の回動板の正面図である。
【図１３】図１０に示す従来の眼鏡の角度調節部材の止め体の側面図である。
【図１４】従来の眼鏡の他の例を示す正面図である。
【図１５】図１４に示す従来の眼鏡のレンズの正面図である。
【図１６】図１４に示す従来の眼鏡の一部拡大平面図である。
【図１７】図１４に示す従来の眼鏡のテンプル取付部材の斜視図である。
【図１８】図１４に示す従来の眼鏡のテンプル取付部材の底面図である。
【符号の説明】
【００４２】
１  フレーム
１ａ  上押え体
１ｂ  下押え体
２  レンズ
２ａ  内フランジ
２ｂ  空間部
３  角度調節部材
３ａ  連結体
３ｂ  外当体
３ｃ  内当体
４  テンプル
４ａ  支軸
５  挟持部
６  係止部
８  支軸部
９  支軸部
９  支軸部
１０  支軸孔
１１  係合爪
１２  係合溝
１４  支持溝
１７  孔
１８  耳掛け部材
【図１】
0004877632.tif 000002
【図２】
0004877632.tif 000003
【図３】
0004877632.tif 000004
【図４】
0004877632.tif 000005
【図５】
0004877632.tif 000006
【図６】
0004877632.tif 000007
【図７】
0004877632.tif 000008
【図８】
0004877632.tif 000009
【図９】
0004877632.tif 000010
【図１０】
0004877632.tif 000011
【図１１】
0004877632.tif 000012
【図１２】
0004877632.tif 000013
【図１３】
0004877632.tif 000014
【図１４】
0004877632.tif 000015
【図１５】
0004877632.tif 000016
【図１６】
0004877632.tif 000017
【図１７】
0004877632.tif 000018
【図１８】
0004877632.tif 000019